(57)【要約】電子キー（７０）と、ユーザ（９０）が所持する携帯電話機（８０）との間で、短距離通信が確立している場合に限り、電子キー（７０）から、当該電子キー（７０）の識別コードに関する情報を発信する。電子キー（７０）から発信された識別コードに関する情報と予め登録された情報との同一性が肯定的でない場合に限り、車両に接近する第三者の画像に関する情報を送信する。これにより、セキュリティを維持するとともに、適切なタイミングで第三者の接近を、通信端末を所持するユーザ（９０）に通知することができる。
2012073978.tif 000002
【特許請求の範囲】
【請求項１】
ユーザに所持される通信端末と、
前記通信端末との短距離通信が確立したことを条件として、第１の識別コードを発信する電子キーと、
前記電子キーから発信された前記第１の識別コードを受信する通信部と、
前記第１の識別コードと、予め登録された第１の登録情報とを比較して、前記第１の識別コードと前記第１の登録情報との同一性を判断する判断部と、
ドアの近傍の第１エリアに進入する人を検出する検出部と、
前記人を撮影する撮影部と、
前記検出部によって前記人が検出された場合に、前記判断部による判断結果が肯定的ではないことを条件として、前記撮影部によって撮影された画像を、前記通信端末へ送信する送信部と、
を備えるセキュリティシステム。
【請求項２】
前記判断部による判断結果が肯定的であることを条件として、前記ドアを解錠する解錠部をさらに備える請求項１に記載のセキュリティシステム。
【請求項３】
前記通信部は、前記ドア近傍の第２エリアへ、前記第１の識別コードの送信要求信号を出力し、
前記電子キーは、前記送信要求信号を受信した場合に、前記通信端末に対しての通信を試みる請求項１に記載のセキュリティシステム。
【請求項４】
前記第１エリアは、前記第２エリアに含まれる請求項３に記載のセキュリティシステム。
【請求項５】
前記通信端末には第２の識別コードが割り当てられ、
前記電子キーは、前記通信端末から前記第２の識別コードを取得し、前記第２の識別コードが、予め登録された第２の登録情報と同一性があると判断した場合に、前記通信端末との短距離通信を確立する請求項１乃至４のいずれか一項に記載のセキュリティシステム。
【請求項６】
前記電子キーは、所定のパスワードを受け付けるインターフェイスを備え、前記インターフェイスを介して取得したパスワードが、予め登録されたパスワードである場合に、前記第１の識別コードを発信する請求項１乃至５のいずれか一項に記載のセキュリティシステム。
【請求項７】
前記通信端末は、携帯電話である請求項１乃至６のいずれか一項に記載のセキュリティシステム。
【請求項８】
ドアの解錠を行う際の認証方法であって、
ユーザに所持される通信端末と、前記ユーザに所持される電子キーとの短距離通信が確立した場合に、第１の識別コードを発信する工程と、
前記第１の識別コードと、予め登録された第１の登録情報とを比較して、前記第１の識別コードと前記第１の登録情報との同一性を判断する工程と、
を含む認証方法。
【発明の詳細な説明】
【技術分野】
【０００１】
本発明は、セキュリティシステム及び認証方法に関する。
【背景技術】
【０００２】
通信システムの信頼性の向上、暗号化技術の発達等にともない、電子キーに個別に割り当てられた識別情報を、無線通信を用いて送信することによって、車両や家屋のドアの施錠及び解錠を行うシステムが提案されている。このシステムでは、例えば電子キーを所持するユーザがドアに接近すると、自動的に識別情報の認証が行われる。そして、認証が成功するとドアが解錠される。【０００３】
この種のシステムを用いると、ドアの施錠及び解錠を手動で行うことなく、車への乗り降りや、家屋への出入りが可能となり便利である。しかしながら、利便性と安全性はトレードオフの関係にあるため、上記システムが装備された車両や家屋には、上記システムに合わせてセキュリティシステムも装備されるのが一般的になりつつある（例えば特許文献１及び２参照）。
【先行技術文献】
【特許文献】
【０００４】
【特許文献１】特開２００３−８５６６１号公報
【特許文献２】特開２００５−７１０６４号公報
【発明の概要】
【発明が解決しようとする課題】
【０００５】
特許文献１及び２に開示された装置は、ドアに接近した人物の画像を撮影する。そして撮影した画像に関する情報を、ユーザが所持する携帯電話等の通信端末に送信する。これにより、ユーザは、ドアに接近した接近者の情報を、遠隔地にいながら取得することができる。しかしながら、車両の運転席側のドアにアクセスするのは、主として車両のオーナーやユーザであることが多い。したがって、ユーザ等がドアに接近した場合にも、画像が送信されるとすると、携帯電話に無駄なデータが蓄積されることになる。【０００６】
本発明は、上述の事情の下になされたものであり、設備のセキュリティを確保しつつ、第３者の接近を適切なタイミングで通知することを目的とする。
【課題を解決するための手段】
【０００７】
上記目的を達成するために、本発明の第１の観点に係るセキュリティシステムは、
ユーザに所持される通信端末と、
前記通信端末との短距離通信が確立したことを条件として、第１の識別コードを発信する電子キーと、
前記電子キーから発信された前記第１の識別コードを受信する通信部と、
前記第１の識別コードと、予め登録された第１の登録情報とを比較して、前記第１の識別コードと前記第１の登録情報との同一性を判断する判断部と、
ドアの近傍の第１エリアに進入する人を検出する検出部と、
前記人を撮影する撮影部と、
前記検出部によって前記人が検出された場合に、前記判断部による判断結果が肯定的ではないことを条件として、前記撮影部によって撮影された画像を、前記通信端末へ送信する送信部と、
を備える。【０００８】
前記判断部による判断結果が肯定的であることを条件として、前記ドアを解錠する解錠部をさらに備えることとしてもよい。【０００９】
前記通信部は、前記ドア近傍の第２エリアへ、前記第１の識別コードの送信要求信号を出力し、
前記電子キーは、前記送信要求信号を受信した場合に、前記通信端末に対しての通信を試みることとしてもよい。【００１０】
前記第１エリアは、前記第２エリアに含まれることとしてもよい。【００１１】
前記通信端末には第２の識別コードが割り当てられ、
前記電子キーは、前記通信端末から前記第２の識別コードを取得し、前記第２の識別コードが、予め登録された第２の登録情報と同一性があると判断した場合に、前記通信端末との短距離通信を確立することとしてもよい。【００１２】
前記電子キーは、所定のパスワードを受け付けるインターフェイスを備え、前記インターフェイスを介して取得したパスワードが、予め登録されたパスワードである場合に、前記第１の識別コードを発信することとしてもよい。【００１３】
前記通信端末は、携帯電話であることとしてもよい。携帯電話はユーザによって常時携帯されているのが一般的である。このため、前記通信端末が携帯電話である場合には、設備のセキュリティを確保するにあたって、ユーザが新たに特別な機器を携帯する必要がない。したがって、ユーザに負担をかけることなく、設備のセキュリティを確保することが可能となる。【００１４】
本発明の第２の観点に係る認証方法は、
ドアの解錠を行う際に実行される認証方法であって、
ユーザに所持される通信端末と、前記ユーザに所持される電子キーとの短距離通信が確立した場合に、第１の識別コードを発信する工程と、
前記第１の識別コードと、予め登録された第１の登録情報とを比較して、前記第１の識別コードと前記第１の登録情報との同一性を判断する工程と、
を含む。
【発明の効果】
【００１５】
本発明によれば、電子キーと所定の通信端末との間の短距離通信が確立した場合に限り、電子キーから、識別コードが発信される。そして、発信された識別コードと、予め登録された登録情報とに同一性がない場合には、ドアに接近した人の画像に関する情報が通信端末に送信される。これにより、ユーザは、ドアに接近した人を確認することができる。一方、発信された識別コードと、予め登録された登録情報とに同一性がある場合には、ドアに接近した人の画像に関する情報が通信端末に送信されることがない。これにより、無意味に画像情報を送信することなく、適切なタイミングで第３者の接近を通知することが可能となる。【００１６】
つまり、電子キーと所定の通信端末との間の短距離通信が確立しているということは、電子キーを所持しているユーザが、当該通信端末も所持しているということである。このような正規のユーザによる設備の通常の利用の際に、画像情報が無意味に通信端末へ送信されることがなく、不審者の接近時にのみ、画像情報が通信端末へ送信される。したがって、ユーザの利便性が向上する。【００１７】
以上のように、本発明によれば、電子キーの盗難時のセキュリティ性の向上と利便性の向上とを合理的に実現することができる。
【図面の簡単な説明】
【００１８】
【図１】本実施形態に係るセキュリティシステムのブロック図である。
【図２】人感センサ、カメラ、及びアンテナの配置を示す図である。
【図３】ＣＰＵによって実行される一連の処理を示すフローチャートである。
【図４】電子キーによって実行される一連の処理を示すフローチャートである。
【発明を実施するための形態】
【００１９】
以下、本発明の一実施形態を、図面を参照しつつ説明する。図１は本実施形態に係るセキュリティシステム１０の概略的な構成を示すブロック図である。セキュリティシステム１０は、電子キー７０を所持するユーザ９０の位置に応じて、例えば車両のドアの解錠及び施錠を行うシステムである。なお、セキュリティシステム１０は、ドアを解錠する際に後述する認証方法を実行するセキュリティシステムである。図１に示されるように、このセキュリティシステム１０は、制御装置２０、人感センサ３０、撮影ユニット４０、ドアロックシステム５０、無線通信ユニット６０、及び電子キー７０を備えている。
【００２０】
制御装置２０は、セキュリティ対策の対象となる車両に搭載されている。この制御装置２０は、ＣＰＵ（Central Processing Unit）２１、主記憶部２２、補助記憶部２３、表示部２４、入力部２５、及びインターフェイス部２６を有するコンピュータである。
【００２１】
ＣＰＵ２１は、補助記憶部２３に記憶されているプログラムに従って、後述する処理を実行する。
【００２２】
主記憶部２２は、ＲＡＭ（Random Access Memory）等を有している。主記憶部２２は、ＣＰＵ２１の作業領域として用いられる。
【００２３】
補助記憶部２３は、ＲＯＭ（Read Only Memory）、磁気ディスク、半導体メモリ等の不揮発性メモリを有している。補助記憶部２３は、ＣＰＵ２１が実行するプログラム、及び各種パラメータなどを記憶している。また、撮影ユニット４０から出力される画像に関する情報、及びＣＰＵ２１による処理結果などを含む情報を順次記憶する。
【００２４】
表示部２４は、ＬＣＤ（Liquid Crystal Display）などの表示ユニットを有している。表示部２４は、ＣＰＵ２１の処理結果等を表示する。
【００２５】
入力部２５は、入力キーや、タッチパネル等のポインティングデバイスを有している。オペレータの指示は、入力部２５を介して入力され、システムバス２７を経由してＣＰＵ２１に通知される。
【００２６】
インターフェイス部２６は、シリアルインターフェイス、パラレルインターフェイス、或いはＬＡＮ（Local Area Network）インターフェイス等を含んで構成されている。人感センサ３０、撮影ユニット４０、ドアロックシステム５０、及び無線通信ユニット６０は、インターフェイス部２６を介してシステムバス２７に接続される。
【００２７】
人感センサ３０は、例えば人と周囲との温度差を検出する赤外線センサである。図２は、人感センサ３０の配置を示す図である。図２に示されるように、人感センサ３０は、車両１００を構成するフロントドアのドアハンドルに設けられている。この人感センサ３０は、当該人感センサ３０を中心とし、半径が約１ｍの円Ｃ２に囲まれる領域（以下、検出エリアＤＡ）に進入する人を感知する。そして、例えば人を感知したときにハイレベルとなる電気信号を出力する。
【００２８】
撮影ユニット４０は、図２に示されるように、車両１００の左右のドアハンドルに設けられた２台のカメラを有している。カメラ４０ａそれぞれは、車両１００に接近した人の顔周辺が視野内に位置するように、画角、及び取り付け位置が調整されている。この撮影ユニット４０は、ＣＰＵ２１の指示に基づいて、車両１００に接近した人を撮影する。そして、撮影により取得した画像に関する情報を出力する。
【００２９】
ドアロックシステム５０は、ＣＰＵ２１の指示に基づいて、車両１００のドアの施錠及び解錠を行う。
【００３０】
無線通信ユニット６０は、左右のドアハンドルにそれぞれ設けられた２つのアンテナ６０ａを有している。この無線通信ユニット６０は、アンテナ６０ａを介して、当該アンテナ６０ａを中心とし、半径が約２ｍの円Ｃ１に囲まれる領域（以下通信エリアＣＡという）にある電子キー７０と通信する。
【００３１】
電子キー７０は、例えばブルートゥース（登録商標）を用いて携帯電話機８０と短距離通信をすることが可能な通信端末である。また、電子キー７０は、無線通信ユニット６０とも通信することが可能である。この電子キー７０には、所定の識別コードＩＤ１が割り当てられている。そして、電子キー７０と携帯電話機８０との間で短距離通信が確立しているときに、無線通信ユニット６０から発信される識別コード要求信号（識別コード送信要求信号）を受信すると、識別コードＩＤ１に関する情報を発信する。
【００３２】
図３は、施錠された車両１００のドアを解錠する際に、ＣＰＵ２１によって実行される一連の処理を示すフローチャートである。また、図４は、電子キー７０によって実行される一連の処理を示すフローチャートである。以下、図３及び図４を参照しつつ、セキュリティシステム１０の動作について説明する。
【００３３】
セキュリティシステム１０が起動されると、ＣＰＵ２１は、無線通信ユニット６０を介して、識別コード要求信号を通信エリアＣＡに発信する（ステップＳ２０１）。
【００３４】
電子キー７０と携帯電話機８０を所持したユーザ９０が、車両１００に接近し、通信エリアＣＡに進入すると、電子キー７０は、無線通信ユニット６０から発信された識別コード（ＩＤ１）要求信号を受信することになる（ステップＳ３０１：Ｙｅｓ）。電子キー７０は、識別コード要求信号を受信すると、短距離無線通信ネットワークを構築することが可能な通信機器の検索を実行する（ステップＳ３０２）。
【００３５】
電子キー７０は、検索を実行した結果、短距離通信を実行することが可能な通信端末を検出すると（ステップＳ３０３：Ｙｅｓ）、当該通信端末に割り当てられた識別コードＩＤ２に関する情報の送信を要求するための識別コード（ＩＤ２）要求信号を発信する（ステップＳ３０４）。そして、当該識別コード要求信号を受信した通信端末から送信された、識別コードＩＤ２に関する情報を受信すると（ステップＳ３０５：Ｙｅｓ）、当該識別コードＩＤ２についての認証処理を実行する（ステップＳ３０６）。
【００３６】
この認証処理は、ユーザ９０が所持する携帯電話機８０の識別コードとして、電子キー７０に予め登録された登録情報と、通信端末から送信された識別コードＩＤ２とを比較する処理である。電子キー７０は、認証処理を実行した結果、通信端末から送信された識別コードＩＤ２と、登録情報とに同一性があると判断した場合に、当該通信端末がユーザ９０によって所持される携帯電話機８０として認証する（ステップＳ３０７：Ｙｅｓ）。これにより、電子キー７０と携帯電話機８０との間の通信が確立する。
【００３７】
電子キー７０は、携帯電話機８０との通信が確立すると、電子キー７０に割り当てられた識別コードＩＤ１に関する情報を発信する（ステップＳ３０８）。なお、電子キー７０は、識別コード（ＩＤ１）要求信号を受信していない場合（ステップＳ３０１：Ｎｏ）、短距離通信を実行することが可能な通信端末を検出していない場合（ステップＳ３０３：Ｎｏ）、識別コードＩＤ２に関する情報を受信していない場合（ステップＳ３０５：Ｎｏ）、通信端末から送信された識別コードＩＤ２と、登録情報とに同一性がないと判断した場合（ステップＳ３０７：Ｎｏ）、ステップＳ３０１に処理を戻す。
【００３８】
一方、ＣＰＵ２１は、識別コード要求信号を発信すると（ステップＳ２０１）、人感センサ３０からの信号を監視することによって、検出エリアＤＡに進入した接近者（進入者）の検出を試みる（ステップＳ２０２）。そして、ＣＰＵ２１は、接近者を検出した場合には（ステップＳ２０２：Ｙｅｓ）、撮影ユニット４０に接近者の撮影を指示する（ステップＳ２０３）。これにより、車両１００へ接近した接近者が撮影される。
【００３９】
ＣＰＵ２１は、接近者を検出しない場合（ステップＳ２０２：Ｎｏ）もしくはステップＳ２０３の処理を終了した場合、識別コードＩＤ１に関する情報の受信の有無を確認する（ステップＳ２０４）。そして、ＣＰＵ２１は、識別コードＩＤ１に関する情報を受信したことが確認できない場合には（ステップＳ２０４：Ｎｏ）、撮影した接近者の画像をユーザ９０が所持する携帯電話機８０へ送信する（ステップＳ２０５）。これにより、ユーザ９０は、車両１００に接近した接近者の確認が可能になる。
【００４０】
一方、ＣＰＵ２１は、識別コードＩＤ１に関する情報を受信したことが確認できた場合には（ステップＳ２０４：Ｙｅｓ）、識別コードＩＤ１に対する認証処理を実行する（ステップＳ２０６）。
【００４１】
この認証処理は、電子キー７０に割り当てられた識別コードとして、補助記憶部２３に予め登録された登録情報と、電子キー７０から送信された識別コードＩＤ１とを比較する処理である。ＣＰＵ２１は、認証処理を実行した結果、電子キー７０から送信された識別コードＩＤ１と、登録情報とに同一性があると判断した場合に、当該電子キー７０が車両１００のドアを解錠するための電子キーであるものとして認証する（ステップＳ２０７：Ｙｅｓ）。そして、ＣＰＵ２１は、ドアロックシステム５０に車両１００のドアの解錠を指示する（ステップＳ２０８）。これにより、車両１００のドアが解錠される。ＣＰＵ２１は、車両１００のドアを解錠すると、ドアを解錠するための処理を終了する。
【００４２】
また、ＣＰＵ２１は、認証処理を実行した結果、電子キー７０から送信された識別コードＩＤ１と、登録情報に同一性がないと判断した場合には（ステップＳ２０７：Ｎｏ）、撮影した接近者の画像をユーザ９０が所持する携帯電話機８０へ送信する（ステップＳ２０５）。これにより、ユーザ９０は、車両１００に接近した接近者の確認が可能となる。
【００４３】
以上説明したように、本実施形態に係るセキュリティシステム１０では、制御装置２０から発信された識別コード要求信号が、電子キー７０によって受信されると、電子キー７０と、ユーザ９０が所持する携帯電話機８０との間で、短距離通信が確立している場合に限り、電子キー７０から、当該電子キー７０の識別コードＩＤ１に関する情報が発信される。そして、この識別コードＩＤ１に関する情報が制御装置２０によって受信されると、車両１００を構成するドアのロックが解除される。
【００４４】
また、制御装置２０から発信された識別コード要求信号が、電子キー７０によって受信されても、電子キー７０と、ユーザ９０が所持する携帯電話機８０との間で、短距離通信が確立していない場合には、電子キー７０から、当該電子キー７０の識別コードＩＤ１に関する情報は発信されない。
【００４５】
したがって、電子キー７０のみを盗難した第三者が、車両１００に接近したとしても、この場合には、電子キー７０と携帯電話８０との間の短距離通信が成立していないため、電子キー７０のみで、不用意に車両１００のドアが解錠されることがなく、車両１００のセキュリティが十分に確保される。つまり、電子キー７０が盗難されたとしても、セキュリティが確保される。
【００４６】
また、携帯電話機はユーザによって常時携帯されているのが一般的であるから、車両１００のセキュリティを確保するにあたって、ユーザが新たに特別な機器を携帯する必要がない。したがって、ユーザに負担をかけることなく、車両１００のセキュリティを確保することが可能となる。
【００４７】
本実施形態に係るセキュリティシステム１０では、第三者が車両１００に接近し、検出エリアＤＡに進入すると、撮影ユニット４０によって第三者の画像が撮影される。そして、電子キー７０と携帯電話機８０との間の短距離通信が確立していない場合に限り、撮影された画像に関する情報が、携帯電話機８０に送信される。
【００４８】
このため、例えば電子キー７０と携帯電話機８０とを所持するユーザ９０が車両１００に接近した場合には、ユーザ９０が撮影された画像に関する情報が、携帯電話機８０に送信されない。一方、ユーザ９０以外の第三者が車両１００に接近した場合には、当該第３者が電子キー７０を所持しているか否かにかかわらず、第三者を撮影することによって得られた画像に関する情報が、ユーザ９０が所持する携帯電話機８０に送信される。したがって、ユーザ９０が所持する携帯電話機８０には、車両１００に第三者が接近した場合にのみ、画像情報が送信される。これにより、ユーザ９０が所持する携帯電話機８０に無駄な画像情報が送信されることがなくなる。
【００４９】
本実施形態では、ステップ２０２で、接近者が検出された場合に（ステップＳ２０２：Ｙｅｓ）、ステップ２０３で、接近者の撮影が実行される。そして、ステップＳ２０５で、ユーザ９０が所持する携帯電話機８０へ画像情報が送信される。また、ステップ２０２で、接近者が検出されていない場合には（ステップＳ２０２：Ｎｏ）、接近者が撮影されず、ステップＳ２０５で、画像情報が送信されることがない。
【００５０】
このため、ステップＳ２０７での判断が否定された場合であって、かつ、接近者の撮影が行われていない場合には、ステップＳ２０２へ戻ることとしてもよい。これにより、接近者の検出（ステップＳ２０２）及び接近者の撮影（ステップＳ２０３）が実行され、ステップＳ２０７での判断が否定された場合であって、かつ、接近者の撮影が行われていない場合であっても、ユーザ９０が所持する携帯電話機８０へ画像を送信することができる。これにより、より最新の情報に基づいてセキュリティシステムを動作させることができる。
【００５１】
以上、本発明の実施形態について説明したが、本発明は上記実施形態によって限定されるものではない。
【００５２】
例えば、上記実施形態では、電子キー７０と携帯電話機８０との間に短距離通信が確立した場合にのみ、電子キー７０が、識別コードＩＤ１に関する情報を発信することとした。これに限らず、例えば電子キー７０に押しボタン等のインターフェイスを設け、このインターフェイスを介して、所定のパスワードが入力された場合には、電子キー７０が、識別コードＩＤ１に関する情報を発信することとしてもよい。これにより、ユーザ９０が、携帯電話機８０を所持していない場合であっても、電子キー７０へパスワードを入力することにより、車両１００のドアを解錠することが可能となる。
【００５３】
上記実施形態では、図２に示されるように、通信エリアＣＡに、検出エリアＤＡが含まれることとした。これにより、携帯電話機８０を所持したユーザ９０が、車両１００に接近した場合には、ユーザ９０が撮影される前に、電子キー７０と携帯電話機８０との間の短距離通信が確立する。このため、ユーザ９０の画像に関する情報が、誤って送信されることを確実に回避することができる。しかしながら、これに限られることはなく、通信エリアＣＡと、検出エリアＤＡとが同等の大きさであってもよい。
【００５４】
近年では、携帯電話機が十分に普及しているため、自動車を運転することが可能な年齢層のユーザであれば、携帯電話機８０を常時所持しているのが一般的である。そこで、本実施形態では、電子キー７０と、ユーザ９０が所持する携帯電話機８０との間で短距離通信が確立したことを条件に、電子キー７０が識別コードＩＤ１に関する情報を発信することとした。これに限らず、例えばユーザ９０が、携帯電話機以外の通信端末を所持している場合には、当該通信端末と電子キー７０との間で短距離通信が確立したことを条件に、電子キー７０が識別コードＩＤ１に関する情報を発信することとしてもよい。この場合にも、ユーザ９０の画像に関する情報が無意味に送信されることがなくなる。したがって、ユーザ９０は、ストレス無く車両１００に接近する第三者を確認することが可能となる。
【００５５】
上記実施形態では、人感センサ３０によって第三者の接近が検出された場合に、画像情報を送信することとした。これに限らず、画像情報の送信と合わせて、クラクションを鳴らしたり、ヘッドライトなどの照明等を点灯させることにより、第三者を威嚇することとしてもよい。また、ハンドル、アクセル、及びシートベルトをロックしたり、エンジンの始動を不能とすることにより、車両を使用することができない状態にすることとしてもよい。
【００５６】
上記実施形態では、人感センサ３０によって第三者の接近を検出することとした。これに限らず、カメラ４０ａで撮影した画像に対して、画像処理を施すことで、車両に接近する第三者を検出することとしてもよい。
【００５７】
上記実施形態では、第三者の接近時に画像情報を送信することとした。これに限らず、画像情報の送信と合わせて、車両１００の位置情報を送信することとしてもよい。この位置情報は、例えばＧＰＳ（Global Positioning System）を利用することで取得することができる。
【００５８】
上記実施形態では、電子キー７０から送信された識別コードＩＤ１と、登録情報とに同一性があると判断された場合に、当該電子キー７０が車両１００のドアを解錠するための電子キーであるものとして認証される（ステップＳ２０７：Ｙｅｓ）。そして、ドアロックシステム５０に車両１００のドアの解錠が指示される（ステップＳ２０８）。これに限らず、当該電子キー７０が車両１００のドアを解錠するための電子キーであるものとして認証された後に（ステップＳ２０７：Ｙｅｓ）、さらにユーザ９０によるドアハンドルの把持が検出された場合や、ユーザによるドアスイッチの操作が検出された場合に限り、ドアロックシステム５０にドアの解錠が指示されることとしてもよい。
【００５９】
上記実施形態では、電子キー７０が車両１００のドアを解錠するための電子キーであるものとして認証された場合に（ステップＳ２０７：Ｙｅｓ）、ドアロックシステム５０に車両１００のドアの解錠が指示される（ステップＳ２０８）例を示した。これに限らず、この認証の成否にかかわらず、他の条件に従って、ドアロックシステム５０にドアの解錠が指示されるか否かが決定されていてもよい。例えば、ＣＰＵ２１は、認証が失敗した場合に、画像情報を携帯電話機８０に送信した上で、ドアの解錠を指示するか否かを決定するさらなる判定処理を実行することができる。この場合でも、画像情報が携帯電話機８０に送信されるため、ユーザは、ドアに接近した第三者がいることを知ることができるとともに、当該第三者の画像を確認することができる。
【００６０】
上記実施形態では、セキュリティシステム１０が、車両１００に利用される場合について説明した。これに限らず、本発明のセキュリティシステム１０は、一戸建て家屋や、マンション等のように、特定のユーザに利用される設備に好適である。
【００６１】
上記実施形態では、制御装置２０のＣＰＵ２１が補助記憶部に記憶されたプログラムを実行することにより、一連の処理が実行された。これに限らず、制御装置２０は、ハードウェアによって構成されていてもよい。
【００６２】
また、制御装置２０の補助記憶部２３に記憶されているプログラムは、フレキシブルディスク、ＣＤ−ＲＯＭ（Compact Disk Read-Only Memory）、ＤＶＤ（Digital Versatile Disk）、ＭＯ（Magneto-Optical disk）等のコンピュータで読み取り可能な記録媒体に格納して配布し、そのプログラムをコンピュータにインストールすることにより、上述の処理を実行する装置を構成することとしてもよい。
【００６３】
また、プログラムをインターネット等の通信ネットワーク上の所定のサーバ装置が有するディスク装置等に格納しておき、例えば、搬送波に重畳させて、コンピュータにダウンロード等するようにしても良い。
【００６４】
なお、本発明は、本発明の広義の精神と範囲を逸脱することなく、様々な実施形態及び変形が可能とされるものである。また、上述した実施形態は、本発明を説明するためのものであり、本発明の範囲を限定するものではない。
【００６５】
本出願は、２０１０年１２月２日に出願された日本国特許出願２０１０−２６９７４２号に基づく。本明細書中に日本国特許出願２０１０−２６９７４２号の明細書、特許請求の範囲及び図面全体を参照として取り込むものとする。
【産業上の利用可能性】
【００６６】
本発明のセキュリティシステムは、設備のセキュリティを維持するのに適している。また、本発明の認証方法は、ドアの解錠を行う際に実行される認証処理に適している。
【符号の説明】
【００６７】
１０  セキュリティシステム
２０  制御装置
２１  ＣＰＵ
２２  主記憶部
２３  補助記憶部
２４  表示部
２５  入力部
２６  インターフェイス部
２７  システムバス
３０  人感センサ
４０  撮影ユニット
４０ａ  カメラ
５０  ドアロックシステム
６０  無線通信ユニット
６０ａ  アンテナ
７０  電子キー
８０  携帯電話機
９０  ユーザ
１００  車両
Ｃ１  円
Ｃ２  円
ＣＡ  通信エリア
ＤＡ  検出エリア
【図１】
2012073978.tif 000003
【図２】
2012073978.tif 000004
【図３】
2012073978.tif 000005
【図４】
2012073978.tif 000006
【手続補正書】
【提出日】平成24年3月26日(2012.3.26)
【手続補正１】
【補正対象書類名】特許請求の範囲
【補正対象項目名】全文
【補正方法】変更
【補正の内容】
【特許請求の範囲】
【請求項１】
ユーザに所持される通信端末と、
前記通信端末との短距離通信が確立したことを条件として、第１の識別コードを発信する電子キーと、
前記電子キーから発信された前記第１の識別コードを受信する通信部と、
前記第１の識別コードと、予め登録された第１の登録情報とを比較して、前記第１の識別コードと前記第１の登録情報との同一性を判断する判断部と、
ドアの近傍の第１エリアに進入する人を検出する検出部と、
前記人を撮影する撮影部と、
前記検出部によって前記人が検出された場合に、前記判断部による判断結果が肯定的ではないことを条件として、前記撮影部によって撮影された画像を、前記通信端末へ送信する送信部と、
を備えるセキュリティシステム。
【請求項２】
前記判断部による判断結果が肯定的であることを条件として、前記ドアを解錠する解錠部をさらに備える請求項１に記載のセキュリティシステム。
【請求項３】
前記通信部は、前記ドア近傍の第２エリアへ、前記第１の識別コードの送信要求信号を出力し、
前記電子キーは、前記送信要求信号を受信した場合に、前記通信端末に対しての通信を試みる請求項１に記載のセキュリティシステム。
【請求項４】
前記第１エリアは、前記第２エリアに含まれる請求項３に記載のセキュリティシステム。
【請求項５】
前記通信端末には第２の識別コードが割り当てられ、
前記電子キーは、前記通信端末から前記第２の識別コードを取得し、前記第２の識別コードが、予め登録された第２の登録情報と同一性があると判断した場合に、前記通信端末との短距離通信を確立する請求項１乃至４のいずれか一項に記載のセキュリティシステム。
【請求項６】
前記電子キーは、所定のパスワードを受け付けるインターフェイスを備え、前記インターフェイスを介して取得したパスワードが、予め登録されたパスワードである場合に、前記第１の識別コードを発信する請求項１乃至５のいずれか一項に記載のセキュリティシステム。
【請求項７】
前記通信端末は、携帯電話である請求項１乃至６のいずれか一項に記載のセキュリティシステム。
【請求項８】
（削除）
【国際調査報告】
2012073978.tif 000007
2012073978.tif 000008